(57)【特許請求の範囲】
【請求項１】
商品陳列棚であって、
上面に安着した商品を引出し位置に移送させるように構成された少なくとも１つの商品移送単位体と、
前記商品陳列棚の前方に配置されて前記商品移送単位体の前端を着脱可能に固定する前方固定プロファイルと、
前記商品陳列棚の後方に配置されて前記商品移送単位体の後端を着脱可能に固定する後方固定プロファイルと
を含み、
前記商品移送単位体は、前端及び後端がそれぞれ前記前方固定プロファイル及び前記後方固定プロファイルに装着された状態で、前記前方固定プロファイル及び前記後方固定プロファイル間の位置調節領域で左右側にスライド（ｓｌｉｄｅ）可能に構成され、
前記商品移送単位体の前端下面には、前記商品陳列棚の左右側に延びたリセスが形成され、
前記前方固定プロファイルは、前記商品移送単位体の下部で前記商品移送単位体の前端を上方に支持する前端支持プレート及び前記前端支持プレートの上面から突出して左右側に延長形成され、前記商品移送単位体の前記リセスに挿入されるように構成される突出部を含み、
前記リセスは、底面と前記底面を介在して互いに対向するように配置される２個の対向面から構成され、前記突出部の上端にはフランジ部が形成され、
前記２個の対向面には、それぞれ前記リセスの左右側に沿って延びるバンパ部が互いに離間するように形成され、
前記商品移送単位体の前端と前記前方固定プロファイルは、前記突出部が前記リセスに挿入されるとき、前記フランジ部と前記バンパ部の一時的な摩擦により前記突出部が前記リセスに強制挿入されることによって結合され、前記突出部が前記リセスから離脱するとき、前記フランジ部と前記バンパ部の一時的な摩擦により前記突出部が前記リセスに強制離脱することによって分離される商品陳列棚。
【請求項２】
前記後方固定プロファイルは、前記商品移送単位体の下部で前記商品移送単位体の後端を上方に支持する後端支持プレート及び前記後端支持プレートから延びて前記後端支持プレートの上側から前方に延びる補助プレートを含み、
前記後方固定プロファイルには、前記後端支持プレートと前記補助プレートにより左右側に延びる収容空間が形成され、前記収容空間で前記商品移送単位体の後端を収容することを特徴とする請求項１に記載の商品陳列棚。
【請求項３】
前記商品移送単位体の前端は、前記前方固定プロファイルに対して垂直方向に着脱可能であり、前記商品移送単位体の後端は、前記後方固定プロファイルに対して水平方向に着脱可能であることを特徴とする請求項２に記載の商品陳列棚。
【請求項４】
前記商品移送単位体が前記前方固定プロファイル及び前記後方固定プロファイルに結合されるとき、前記商品移送単位体の後端は、前記後方固定プロファイルの収容空間に水平方向に挿入され、前記前方固定プロファイルの突出部は、前記商品移送単位体前端の前記リセスに垂直方向に挿入され、
前記商品移送単位体が前記前方固定プロファイル及び前記後方固定プロファイルから結合解除されるとき、前記前方固定プロファイルの突出部は、前記商品移送単位体前端の前記リセスから垂直方向に離脱し、前記商品移送単位体の後端は、前記後方固定プロファイルの収容空間から水平方向に離脱することを特徴とする請求項３に記載の商品陳列棚。
【請求項５】
前記リセスの前記底面と前記フランジ部の上面には、それぞれ磁気素子又は両面面ファスナー素子が形成されることを特徴とする請求項１に記載の商品陳列棚。
【請求項６】
前記商品移送単位体は、複数のローラがローラ支持体に回転可能に締結されて構成されたローラ単位体であることを特徴とする請求項１に記載の商品陳列棚。
【請求項７】
前記商品移送単位体は上面に、表面処理された固体金属シート、合成樹脂の押出成形された薄型シート（ｔｈｉｎ ｇａｕｇｅ ｓｈｅｅｔ）、又は非結晶性固体−過冷却された液体シートのうち何れか１つが形成されたことを特徴とする請求項１に記載の商品陳列棚。
【請求項８】
前記前端支持プレート及び前記後端支持プレートに接合され、前記前方固定プロファイル及び前記後方固定プロファイルを上方に支持するパネルを更に含むことを特徴とする請求項２に記載の商品陳列棚。
【請求項９】
それぞれ前記商品陳列棚の左側端部及び右側端部で前記前方固定プロファイル及び前記後方固定プロファイルに付着される第１ブラケット及び第２ブラケットを更に含み、前記第１ブラケット及び前記第２ブラケットの高さは、後方へ行くほど高くなることを特徴とする請求項１に記載の商品陳列棚。
【請求項１０】
前記前方固定プロファイルの前端支持プレート及び前記後方固定プロファイルの後端支持プレートは、一体に形成されることを特徴とする請求項１に記載の商品陳列棚。
【発明の詳細な説明】
【技術分野】
【０００１】
本発明は商品陳列棚に関し、より詳細には、商品移送単位体が固定プロファイルに対して着脱可能であり、外力により固定プロファイルの位置調節領域の左右側にスライド（ｓｌｉｄｅ）可能に構成することによって、商品移送単位体の数及び配列位置を調節できる商品陳列棚に関する。
【背景技術】
【０００２】
近年、スーパーマーケットやハイパーマーケット（ｈｙｐｅｒｍａｒｋｅｔ）、コンビニ、薬局などリテイル（ｒｅｔａｉｌ）に設置されている商品陳列棚は、使用者が商品の識別、入出庫、移動、管理及び選択が便利なように棚の先端に常に商品が陳列されるようにする装置が設けられる。このとき、「使用者」は商品を購入する消費者を含み、リテイルの在庫管理者や商品供給会社の従業員、製薬会社の研究員、物流倉庫の従業員、レストランの在庫管理者、シェフなどが含まれることができる。このような陳列装置は、一般に棚の先端に陳列されている商品を取り出すと、所定角度で傾いた棚の勾配により次に陳列されている商品が滑り落ちながら棚の先端へ移動するようにする。前記のような棚は、商品が円滑に滑り落ちて選出された商品の空いた空間に陳列されている次の商品が移動するように構成された商品移送部材と、商品が列を成しながら陳列されるように区画用ガイド部材が装着される。このような装置が設置される棚を設計する際には、例えば、商品の陳列面積、商品の大きさ、液体、固体、気体などのような商品の状態、商品の形態、商品の種類、商品の保管温度、商品容器の材質、商品包装外観の複雑性、商品の陳列台区域の変更、商品陳列の高さ、商品の安全性などの事項が必ず考慮されるべきである。大半の場合、商品は種類と容器の材質などそれぞれの別途に指定された棚の種類に適するように陳列される。
【０００３】
図１は、従来技術に係る陳列用棚であって、荷物載置部１００が支持手段７００により陳列台に固定され、荷物載置部１００が傾斜した状態で配置されて荷物が荷物載置部の上面で下方へ滑り落ちるようにする構造が開示されている。しかし、このような従来の陳列用棚は、荷物載置部１００が一体に形成されているため、棚のサイズに該当する特定商品のみ陳列できる。このような棚は、一般に使用中に陳列される商品の種類が変更されたり、商品の大きさが変更されたり、商品包装の単位が変更されたり、商品容器の材質が変更されたり、商品陳列台の区域が変更されたり、リテイル（ｒｅｔａｉｌ）のイベント販売の企画又は商品在庫の位置又は商品配置の企画が変更されたり、荷物載置部に瑕疵があり、修理が必要であったり、汚物が付いて洗浄が要求されるとき、荷物載置部に安定して載置されている商品を全て下ろした後、陳列用棚を丸ごと取り外さなければならないという問題があった。特に、荷物載置部の一部が修理不能の状態となった際にも陳列用棚自体を交換しなければならないという問題があった。
【発明の概要】
【発明が解決しようとする課題】
【０００４】
本発明は上記事情に鑑みてなされたものであって、その目的は、商品移送単位体の数及び配列位置を調節可能な商品陳列棚を提供することにある。
【課題を解決するための手段】
【０００５】
前記課題を解決するための本発明の実施形態に係る商品陳列棚は、上面に安着した商品を引出し位置に移送させるように構成された少なくとも１つの商品移送単位体と、前記商品陳列棚の前方に配置されて前記商品移送単位体の前端を着脱可能に固定する前方固定プロファイルと、前記商品陳列棚の後方に配置されて前記商品移送単位体の後端を着脱可能に固定する後方固定プロファイルとを含み、前記商品移送単位体は、前端及び後端がそれぞれ前記前方固定プロファイル及び前記後方固定プロファイルに装着された状態で、前記前方固定プロファイル及び前記後方固定プロファイル間の位置調節領域で左右側にスライド（ｓｌｉｄｅ）可能に構成され、前記商品移送単位体の前端下面には、前記商品陳列棚の左右側に延びたリセスが形成され、前記前方固定プロファイルは、前記商品移送単位体の下部で前記商品移送単位体の前端を上方に支持する前端支持プレート及び前記前端支持プレートの上面から突出して左右側に延長形成され、前記商品移送単位体の前記リセスに挿入されるように構成される突出部を含み、前記リセスは、底面と前記底面を介在して互いに対向するように配置される２個の対向面から構成され、前記突出部の上端にはフランジ部が形成され、前記２個の対向面には、それぞれ前記リセスの左右側に沿って延びるバンパ部が互いに離間するように形成され、前記商品移送単位体の前端と前記前方固定プロファイルは、前記突出部が前記リセスに挿入されるとき、前記フランジ部と前記バンパ部の一時的な摩擦により前記突出部が前記リセスに強制挿入されることによって結合され、前記突出部が前記リセスから離脱するとき、前記フランジ部と前記バンパ部の一時的な摩擦により前記突出部が前記リセスに強制離脱することによって分離される。
【０００６】
また、前記商品移送単位体の前端は、前記前方固定プロファイルに対して垂直方向に着脱可能であり、前記商品移送単位体の後端は、前記後方固定プロファイルに対して水平方向に着脱可能であり得る。
【０００７】
更に、前記商品移送単位体の前端下面には、前記商品陳列棚の左右側に延びたリセスが形成され、前記前方固定プロファイルは、前記商品移送単位体の下部で前記商品移送単位体の前端を上方に支持する前端支持プレート及び前記前端支持プレートの上面から突出して左右側に延長形成され、前記商品移送単位体の前記リセスに挿入されるように構成される突出部を含むことができる。
【０００８】
また、前記後方固定プロファイルは、前記商品移送単位体の下部で前記商品移送単位体の後端を上方に支持する後端支持プレート及び前記後端支持プレートから延びて前記後端支持プレートの上側から前方に延びる補助プレートを含み、前記後方固定プロファイルには、前記後端支持プレートと前記補助プレートにより左右側に延びる収容空間が形成され、前記収容空間で前記商品移送単位体の後端を収容することができる。
【０００９】
更に、前記商品移送単位体が前記固定プロファイルに結合されるとき、前記商品移送単位体の後端は、前記後方固定プロファイルの収容空間に水平方向に挿入され、前記前方固定プロファイルの突出部は、前記商品移送単位体前端の前記リセスに垂直方向に挿入され、前記商品移送単位体が前記固定プロファイルから結合解除されるとき、前記前方固定プロファイルの突出部は、前記商品移送単位体前端の前記リセスから垂直方向に離脱し、前記商品移送単位体の後端は、前記後方固定プロファイルの収容空間から水平方向に離脱することができる。
【００１０】
また、前記リセスの前記底面と前記フランジ部の上面には、それぞれ磁気素子又は両面面ファスナー素子が形成されることができる。
【００１２】
また、前記商品移送単位体は、複数のローラがローラ支持体に回転可能に締結されて構成されたローラ単位体であり得る。
【００１３】
更に、前記商品移送単位体は上面に、表面処理された固体金属シート、合成樹脂の押出成形された薄型シート（ｔｈｉｎ ｇａｕｇｅ ｓｈｅｅｔ）、又は非結晶性固体−過冷却された液体シートのうち何れか１つが形成されることができる。
【００１４】
また、前記前端支持プレート及び前記後端支持プレートに接合され、前記前方固定プロファイル及び前記後方固定プロファイルを上方に支持するパネルを更に含むことができる。
【００１５】
更に、それぞれ前記商品陳列棚の左側端部及び右側端部で前記前方固定プロファイル及び前記後方固定プロファイルに付着される第１ブラケット及び第２ブラケットを更に含み、前記第１ブラケット及び前記第２ブラケットの高さは、後方へ行くほど高くなることができる。
【００１６】
また、前記前方固定プロファイルの前端支持プレート及び前記後方固定プロファイルの後端支持プレートは、一体に形成されることができる。
【発明の効果】
【００１７】
本発明の実施形態に係る商品陳列棚によれば、商品移送単位体を商品陳列棚に着脱可能に構成することによって、一部単位体に不良や故障が発生したとき、該当単位体のみを交換し、新しい単位体を締結することによって商品陳列棚を連続的に使用可能であるという効果を奏する。
【００１８】
また、商品移送単位体が着脱可能であるため、多様な種類の商品移送単位体を組み合わせて商品陳列棚を容易に変形できる。
【００１９】
更に、商品移送単位体が着脱可能であるため、陳列又は積載の目的や商品の特性に合うように商品移送単位体を選択できる。例えば、初期企画の変更が発生したとき、ローラ単位体の代りにローラやシートのような重力移動補助手段が形成されていない一般の単位体に交換することが可能である。
【００２０】
また、商品移送単位体を商品陳列棚の左右側方向にスライド（ｓｌｉｄｅ）移動可能に構成することによって、陳列商品の左右方向サイズなどの条件によって商品陳列棚を多様な形態で構成でき、これにより、必要な数だけの単位体を採用することによって商品の安着が可能であるので、不要な単位体の使用によるコストを削減できるという効果を期待できる。
【図面の簡単な説明】
【００２１】
【図１】従来技術に係る陳列用棚を示す斜視図である。
【図２】本発明の一実施形態に係る商品陳列棚の構造を示す分離斜視図である。
【図３】一実施形態に係る商品陳列棚の断面図である。
【図４】他の実施形態に係る商品陳列棚の断面図である。
【図５】商品移送単位体がローラ単位体である実施形態を示す斜視図である。
【図６】商品移送単位体の上面に表面処理された固体金属シートが形成された実施形態を示す斜視図である。
【図７】商品移送単位体の上面に合成樹脂の押出成形された薄型シートが形成された実施形態を示す斜視図である。
【図８】ブラケットが装着された商品陳列棚を示す斜視図である。
【図９】パネルが装着された商品陳列棚を示す斜視図である。
【図１０】固定プロファイルが一体に形成された商品陳列棚を示す斜視図である。
【図１１】多様な種類の商品移送単位体が組み合わせられた商品陳列棚の一実施形態を示す斜視図である。
【図１２】多様な種類の商品移送単位体が組み合わせられた商品陳列棚の他の実施形態を示す斜視図である。
【図１３Ａ】商品移送単位体の数を変形した変形実施例と、各商品陳列棚に商品が安着した状態を例示的に示す図である。
【図１３Ｂ】商品移送単位体の数を変形した変形実施例と、各商品陳列棚に商品が安着した状態を例示的に示す図である。
【図１３Ｃ】商品移送単位体の数を変形した変形実施例と、各商品陳列棚に商品が安着した状態を例示的に示す図である。
【図１３Ｄ】商品移送単位体の数を変形した変形実施例と、各商品陳列棚に商品が安着した状態を例示的に示す図である。
【図１４Ａ】３個の商品移送単位体の左右配列位置を変形した変形実施例と、各商品陳列棚に商品が安着した状態を例示的に示す図である。
【図１４Ｂ】３個の商品移送単位体の左右配列位置を変形した変形実施例と、各商品陳列棚に商品が安着した状態を例示的に示す図である。
【図１５Ａ】５個の商品移送単位体の左右配列位置を変形した変形実施例と、各商品陳列棚に商品が安着した状態を例示的に示す図である。
【図１５Ｂ】５個の商品移送単位体の左右配列位置を変形した変形実施例と、各商品陳列棚に商品が安着した状態を例示的に示す図である。
【図１５Ｃ】５個の商品移送単位体の左右配列位置を変形した変形実施例と、各商品陳列棚に商品が安着した状態を例示的に示す図である。
【発明を実施するための形態】
【００２２】
本発明の目的及び効果、そしてそれらを達成するための技術的構成は、添付の図面と共に詳細に後述される実施形態を参照すれば明確になる。本発明を説明するにおいて、公知の機能又は構成に関する具体的な説明が本発明の要旨を不要に曖昧にする恐れがあると判断される場合にはその詳細な説明を省略する。そして、後述される用語は本発明での構造、役割及び機能などを考慮して定義された用語であって、これは使用者、運用者の意図又は慣例などによって異なり得る。
【００２３】
しかし、本発明は以下で開示される実施形態に限定されるものではなく、互いに異なる多様な形態で実現することができる。但し、本実施形態は本発明の開示が完全なようにし、本発明が属する技術分野において通常の知識を有する者に発明の範疇を完全に理解させるために提供されるものである。なお、本発明は単に特許請求の範囲に記載された請求範囲の範疇によって定義されるばかりである。従って、その定義は本明細書全般に亘る内容に基づいて行われるべきである。
【００２４】
明細書全体において、ある部分がある構成要素を「含む」とするとき、これは特に反対の記載がない限り、他の構成要素を除外するものではなく、他の構成要素を更に含むことができることを意味する。
【００２５】
本発明は、重力の流れにより商品が先端の引出し位置に移動する商品移送単位体（重力移動ユニット）の組み合わせを固定プロファイルに着脱可能なように配列した商品陳列棚に関するものである。商品陳列棚は商店、コンビニ、薬局又は病院など商品を販売したり、サービスを提供する類型の空間又は場所で商品を陳列、展示、積載、保管、販売又は受納の目的で冷蔵庫、冷凍庫、オープンクーラなどの陳列台（図示せず）に取り付けられる。また、自動販売機、キッチンの受納家具、工場の原資材管理又は商品の生産ラインで活用されることができる。
【００２６】
以下では添付の図面を参照し、本発明の好適な実施形態をより詳細に説明する。
【００２７】
図２は、本発明の一実施形態に係る商品陳列棚１０の構造を示す分離斜視図であり、図３及び図４は、一実施形態に係る商品陳列棚１０の断面図である。図示するように、商品陳列棚１０は商品移送単位体２０及び固定プロファイル１００、３００を含む。
【００２８】
商品移送単位体（２０；以下、「単位体」ともいう）は、その上面に商品が安着して商品を棚前方の引出し位置に移送されるようにする構成であって、後述する固定プロファイル１００、３００に着脱可能に装着される。その形態には制限はないが、前端２２から後端２３に繋がる長さが幅よりも長く形成された長方形状になり得る。単位体２０の長手方向前端２２は前方固定プロファイル１００に装着され、長手方向後端２３は後方固定プロファイル３００に装着され、複数の商品移送単位体２０はその幅方向に沿って前方及び後方固定プロファイル間の領域、即ち、位置調節領域５００の左右側に並んで配列されることができる。このとき、商品陳列棚１０が陳列台に装着されると、前方固定プロファイル１００が後方固定プロファイル３００よりも低く位置し、固定プロファイルに結合される単位体２０の前端２２が後端２３よりも低い傾斜状態を維持する。これにより、商品は重力により単位体の後端２３から前端２２に向かって移動する。
【００２９】
このとき、商品移送単位体２０は、複数のローラがローラ支持体に回転可能に締結されて構成されたローラ単位体２０１、２０２であるか、表面処理された固体金属シート２２１、２２２、合成樹脂の押出成形された薄型シート２３１、２３２（ｔｈｉｎ ｇａｕｇｅ ｓｈｅｅｔ）、又は非結晶性固体−過冷却された液体シートのうち何れか１つが単位体の上面に形成された実施形態を採用できる。図５は、商品移送単位体がローラ単位体２０１、２０２である実施形態を示す斜視図であり、図６は、商品移送単位体の上面に表面処理された固体金属シート２２１、２２２が形成された実施形態を示す斜視図であり、図７は、商品移送単位体の上面に合成樹脂の押出成形された薄型シート２３１、２３２が形成された実施形態を示す斜視図である。図５に示すローラ単位体２０１、２０２の場合、商品移送単位体は、複数のローラが外側のケーシングの前端２２と後端２３との間の空間でケーシングの長手方向に沿って一列に配列されてケーシングに回転可能に支持される形態で構成されることができる。この場合は、商品がローラ単位体２０１、２０２の上面で前方に転がり移動する。図６又は図７に示す実施形態の商品移動単位体の場合は、その上面が滑らかに表面処理された固体金属シート２２１、２２２、合成樹脂の押出成形された薄型シート２３１、２３２、又は非結晶性固体−過冷却された液体シートを備えることによって、商品が上面上で前方に滑り移動することができる。
【００３０】
一方、図２及び図３又は図４に示すように、商品移送単位体の前端下面には商品陳列棚の左右側に延びたリセス２１が形成される。リセス２１は、後述する突出部１１１が収容される空間であって、前方固定プロファイル１００の突出部１１１に締結された状態で単位体２０が前方固定プロファイル１００に対して商品陳列棚１０の左右側にスライド（ｓｌｉｄｅ）移動が可能なように直線型に形成されることが好ましい。また、リセス２１を単位体２０の長手方向に沿って切断した断面形状は、下方が開放された四角形に形成されることができ、具体的に底面２１Ａと、底面２１Ａを介在して互いに対向するように配置される２個の対向面２１Ｂからなる。
【００３１】
このとき、リセス２１の２個の対向面２１Ｂのそれぞれには、リセスの左右側方向に沿って延びるバンパ部２４が形成されることができる。これらのバンパ部２４は、リセスの底面２１Ａから離間して各バンパ部２４の間に所定間隔の隙間が形成されるように構成され、この隙間を通じて後述する前方固定プロファイル１００の突出部１１１が挿入される。バンパ部２４は、単位体２０と前方固定プロファイル１００との間を緩衝できるようにゴムなどの弾性部材で形成されることができ、その材質には特に制限がない。
【００３２】
また、図３又は図４に示すように、リセス２１の底面２１Ａには、磁石などの磁気素子やベルクロ（登録商標）布のような面ファスナー素子の付着部材２５が装着されることができる。後述する突出部１１１のフランジ部１１２の上面にも磁気素子又は両面面ファスナー素子を付着することによって、単位体２０と前方固定プロファイル１００を磁力により着脱したり、又は所謂、ベルクロ（登録商標）方式で着脱するように構成できる。
【００３３】
一方、固定プロファイル１００、３００は、商品移送単位体２０を着脱可能に固定させる構成であって、商品陳列棚の前方に配置されて単位体の前端２２を着脱可能に固定する前方固定プロファイル１００と、商品陳列棚の後方に配置されて単位体の後端２３を着脱可能に固定する後方固定プロファイル３００とで構成される。
【００３４】
まず、前方固定プロファイル１００は、単位体の前端２２の下方に配置されて単位体の前端を上方に支持及び固定する構成であって、図２〜図４に示すように、前端支持プレート１０１及び突出部１１１を含む。これらの構成は押出、成形又は査出の製造過程により一体に形成されてもよく、別の構成で形成されて互いに結合されてもよい。このとき、前端支持プレート１０１は単位体の前端２２を上方に支持し、その上面の一部は単位体の前端下面と部分的に接触する。突出部１１１は、単位体のリセス２１に挿入されて単位体を前後方向に固定する構成であって、前端支持プレート１０１の上面から突出して左右側に長く延長形成される。即ち、突出部１１１は、単位体のリセス２１に対してレールとしての機能を行う。このとき、突出部１１１の上端には突出部に沿って左右側に延び、前後方向に突出するフランジ部１１２が形成され、前述したように、フランジ部１１２の上面には磁気素子又は両面面ファスナーが形成されることができる。
【００３５】
一方、後方固定プロファイル３００は、単位体の後端２３の下方に配置されて単位体の後端を上方に支持及び固定する構成であって、後端支持プレート３０１及び補助プレート３０２を含む。これらの構成は製造過程で一体に形成されてもよく、別の構成で形成されて互いに結合されてもよい。このとき、図２〜図４に示すように、後端支持プレート３０１は、単位体の後端２３を上方に支持し、その上面は単位体の後端下面と接触する。補助プレート３０２は、後端支持プレート３０１の後端から上側に延び、更に後端支持プレート３０１の上側から前方に延びる「ヘ」字状の構造を有することができる。このような構造により、後方固定プロファイル３００は、後端支持プレート３０１と「ヘ」字状構造の補助プレート３０２で囲まれた内側の収容空間３３１を形成する。収容空間３３１は、後方固定プレート３００の左右側に延び、収容空間３３１を通じて商品移送単位体２０の後端２３を収容及び嵌め固定する。このとき、収容空間３３１の高さは、単位体の後端２３の厚さと同一であるか、若干大きく形成されるのが単位体の固定の観点から好ましい。
【００３６】
一方、本発明の一実施形態に係る商品陳列棚１０は、ブラケット６１１、６１２を更に含むことができる。図８は、ブラケット６１１、６１２が装着された商品陳列棚１０を示す斜視図である。図示するように、ブラケットは、前方固定プロファイル１００と後方固定プロファイル３００とを繋ぐ構成であって、商品陳列棚１０の左側端部で前方固定プロファイル１００及び後方固定プロファイル３００に付着される第１ブラケット６１１と、商品陳列棚１０の右側端部で前方及び後方固定プロファイルに付着される第２ブラケット６１２とで構成される。商品陳列棚１０は、ブラケットに形成された係止部材６１５により冷蔵庫や冷凍庫の陳列台に装着されることができる。商品陳列棚１０は陳列台に装着されるとき、商品移送単位体上に安定して載置されている商品が重力により引出し位置、即ち商品移送単位体の前端２２側に移動するように単位体の前端２２が後端２３よりも低い傾斜状態を維持する必要がある。このために、前方固定プロファイル１００が後方固定プロファイル３００よりも低く位置するように、図８に示すように、第１ブラケット６１１及び第２ブラケット６１２の高さは、後方へ行くほど高くなるように構成することが好ましい。
【００３７】
一方、本発明の一実施形態に係る商品陳列棚は、パネル６００を更に含むことができる。図９は、パネル６００が装着された商品陳列棚１０を示す斜視図であって、パネル６００は、前端支持プレート１０１及び後端支持プレート３０１の下面に接合され、前方及び後方固定プロファイル１００、３００を上方に支持する。このような実施形態の商品陳列棚１０は、前述したブラケット６１１、６１２を更に含み、ブラケットに形成された係止部材６１５により冷蔵庫や冷凍庫の陳列台に装着されることができる。また、パネル６００に形成された係止部材（図示せず）により陳列台に装着されることもできる。
【００３８】
一方、本発明の一実施形態に係る商品陳列棚１０は、図１０に示すように、前方固定プロファイル１００の前端支持プレート１０１と後方固定プロファイル３００の後端支持プレート３０１が一体に形成されることができる。このような実施形態の商品陳列棚１０は、前述したブラケットを更に含み、ブラケット６１１、６１２に形成された係止部材６１５により冷蔵庫や冷凍庫の陳列台に装着されることができる。
【００３９】
以上のような構成要素からなる本発明の一実施形態に係る商品陳列棚１０は、少なくとも１つ以上の商品移送単位体２０が固定プロファイル１００、３００に着脱可能に装着され、固定プロファイルがブラケット６１１、６１２に装着される。このとき、商品移送単位体２０の種類や、数、配列位置を変更することによって、商品陳列棚１０を多様な形態に変形することができる。
【００４０】
まず、商品移送単位体２０の種類を変更することによって商品陳列棚１０を多様な形態に変形することができる。このとき、商品移送単位体２０は、前述したように、複数のローラがローラ支持体に回転可能に締結されて構成されたローラ単位体２０１、２０２であるか、表面処理された固体金属シート２２１、２２２、合成樹脂の押出成形された薄型シート２３１、２３２、又は非結晶性固体−過冷却された液体シートのうち何れか１つが単位体の上面に形成された実施形態を採用でき、ローラやシートのような重力移動補助手段が形成されていない一般の単位体２４３、２４４、２４５が使用されることもできる。そして、このような形態の商品移送単位体２０が多様に組み合わせられて固定プロファイルに装着されることができる。例えば、ローラ単位体２０１、２０２と一般の単位体２４３、２４４、２４５との組み合わせ、表面処理されたシート２３３、２２４、２３５が形成された単位体とローラ単位体２０１、２０２との組み合わせのように多様な変形が可能である。図１１は、２個のローラ単位体２０１、２０２と３個の一般の単位体２４３、２４４、２４５が固定プロファイルに装着された変形例を示しており、図１２は、２個のローラ単位体２０１、２０２と、３個の表面処理されたシート２３３、２２４、２３５が形成された単位体が固定プロファイルに装着された変形例を示している。
【００４１】
一方、商品移送単位体２０の数を変更することによって商品陳列棚１０を多様な形態に変形することができる。図１３Ａ〜図１３Ｄは、商品移送単位体の数を変形した変形実施例と、各商品陳列棚に商品が安着した状態を例示的に示している。商品移送単位体に積載される商品の幅によって商品移送単位体の数を調節することが可能である。
【００４２】
一方、商品移送単位体２０の配列位置を変更することによって商品陳列棚１０を多様な形態に変形することができる。図１４Ａ〜図１４Ｂは、３個の商品移送単位体２０１、２０４、２０５の左右配列位置を変形したそれぞれの変形実施例と、各商品陳列棚に商品が安着した状態を例示的に示す図である。商品移送単位体の位置を変形することによって、空間５００、５１０、５３０の幅を調節できる。図１５Ａ〜図１５Ｃは、５個の商品移送単位体２０１、２０２、２０３、２０４、２０５の左右配列位置を変形したそれぞれの変形実施例と、各商品陳列棚に商品４０５、４１１、４１２、４２１、４３１が安着した状態を例示的に示す図である。商品移送単位体の位置を変形することによって、空間５００、５１０、５２０の幅を調節できる。図示するように、商品移送単位体に積載される商品の幅によって商品移送単位体の左右配列位置を自由に調節することが可能である。
【００４３】
本発明の技術的特徴の１つは、商品移送単位体２０を商品陳列棚の左右側方向にスライド（ｓｌｉｄｅ）移動可能に構成することにある。即ち、商品移送単位体２０の前端２２及び後端２３がそれぞれ前方固定プロファイル１００及び後方固定プロファイル３００に装着された状態で、前方固定プロファイル１００及び後方固定プロファイル３００間の位置調節領域５００で左右側にスライド（ｓｌｉｄｅ）可能に構成する。このとき、単位体の前端２２側では単位体のリセス２１に形成されたバンパ部２４と固定プロファイル１００の突出部１１１との間に作用する摩擦力や、リセス２１と突出部のフランジ部１１２に形成された磁気素子又は両面面ファスナーの接着力よりも大きな外力が作用するとき、このような外力により単位体のリセス２１が前方固定プロファイル１００の突出部１１１に沿って左右側に強制スライド（ｓｌｉｄｅ）し、単位体の後端２３側では後方固定プロファイル３００の収容空間３３１と単位体の後端２３間の接触による摩擦力よりも大きな外力により強制スライド（ｓｌｉｄｅ）することができる。このとき、単位体の前端２２側で、バンパ部２４と突出部１１１の摩擦力は、バンパ部２４や突出部１１１の形状や材質によって異なり、リセス２１とフランジ部１１２の接着力は、磁気素子や面ファスナー素子の種類によって異なる。また、このようなスライド移動は、商品移送単位体に外力が作用する状態でのみ行われ、外力が消える瞬間、商品移送単位体は即時停止及び固定される。このような構成によれば、前方及び後方固定プロファイル間の位置調節領域５００内で商品移送単位体２０の左右方向の配列位置又は単位体の数を容易に変更でき、陳列商品の左右方向のサイズなどの条件によって商品陳列棚を多様な形態で構成できる。前述した図１３〜図１５に示すように、陳列商品は、サイズによって１つの単位体上に安着することもでき、安定した陳列のために２個以上の単位体を使用しなければならない場合もある。サイズが単位体の幅よりも大きな陳列商品の場合には、陳列商品の一端と他端が置かれる位置にそれぞれの単位体を位置指定することによって商品を安定して定着させることができる。これにより、必要な数だけの単位体を採用することによって商品の安着が可能であるので、不要な単位体の使用によるコストを削減できるという効果を期待できる。
【００４４】
一方、本発明の他の技術的特徴の１つは、商品移送単位体２０の着脱方式にある。即ち、商品移送単位体２０が固定プロファイル１００、３００に容易に着脱できるように、前方固定プロファイル１００には商品移送単位体２０が垂直方向に着脱され、後方固定プロファイル３００には商品移送単位体２０が水平方向に着脱されることが好ましい。より詳述すれば、付着過程では単位体の後端２３を後方固定プロファイル３００の収容空間３３１に水平方向の後方に挿入し、挿入された後、単位体の前端２２を前方固定プロファイル１００に対して垂直下方に降下して前方固定プロファイル１００の突出部１１１が単位体２０のリセス２１に挿入されるようにする。このとき、単位体の前端２２と前方固定プロファイル１００は、リセスの底面２１Ａ及び前方固定プロファイル１００のフランジ部１１２に形成された磁気素子又は両面面ファスナー素子により磁力で付着されるか、ベルクロ（登録商標）方式で付着される。一方、脱去過程では付着メカニズムと反対に、単位体の前端２２に垂直上方の外力を加えて単位体を前方固定プロファイル１００と垂直となるように離間させる。離間した後、単位体の後端２３を水平方向の前方に外力を加えて後方固定プロファイル３００の収容空間３３１から引き出す。このような構成によれば、基本的に商品移送単位体２０を容易に付着又は脱去できるので、商品陳列棚１０の形態の変更が容易である。それだけでなく、使用中に不良や故障が生じた商品移送単位体２０のみを交換し、新しい単位体を締結することによって商品陳列棚１０を連続的に使用可能であるので、従来の一体型商品陳列棚の場合に棚自体を交換しなければならないことによる短所を全て解消できる。
【００４５】
以上、本発明の実施形態について説明したが、該当技術分野において通常の知識を有する者であれば特許請求の範囲に記載された本発明の思想から逸脱しない範囲内で、構成要素の付加、変更、削除又は追加などによって本発明を多様に修正及び変更させることができ、これも本発明の権利範囲内に含まれるものと理解すべきである。
【符号の説明】
【００４６】
１０    商品陳列棚
２０    商品移送単位体
２１    リセス
２１Ａ    底面
２１Ｂ    対向面
２４    バンパ部
１００    前方固定プロファイル
１０１    前端支持プレート
１１１    突出部
１１２    フランジ部
３００    後方固定プロファイル
３０１    後端支持プレート
３０２    補助プレート
３３１    収容空間
５００    位置調節領域
６００    パネル
６１１    第１ブラケット
６１２    第２ブラケット
【図１】
0006728384.tif 000002
【図２】
0006728384.tif 000003
【図３】
0006728384.tif 000004
【図４】
0006728384.tif 000005
【図５】
0006728384.tif 000006
【図６】
0006728384.tif 000007
【図７】
0006728384.tif 000008
【図８】
0006728384.tif 000009
【図９】
0006728384.tif 000010
【図１０】
0006728384.tif 000011
【図１１】
0006728384.tif 000012
【図１２】
0006728384.tif 000013
【図１３ａ】
0006728384.tif 000014
【図１３ｂ】
0006728384.tif 000015
【図１３ｃ】
0006728384.tif 000016
【図１３ｄ】
0006728384.tif 000017
【図１４ａ】
0006728384.tif 000018
【図１４ｂ】
0006728384.tif 000019
【図１５ａ】
0006728384.tif 000020
【図１５ｂ】
0006728384.tif 000021
【図１５ｃ】
0006728384.tif 000022